(57)【要約】      （修正有）【課題】犬、猫、カラスの食い散らかしを防止するゴミネットを提供する。【解決手段】底面のない直方体で、上部に蓋Ｅを設ける。各面の合わせ目は、複数の結束バンド５で固定し、ロープ状のゴムバンド２の両端にフックを設け、一方のフックを背面に、他方のフックを正面Ａに引っかけて蓋Ｅを押さえる。ゴミネットの下方に金属製チェーン１を横に一周させ、両端を南京錠で連結する。【選択図】図１
0003180236.tif 000002
【実用新案登録請求の範囲】
【請求項１】
ゴミを図１の斜視図のように，合成樹脂で加工したトゲトゲした素材の突起型ネットの中に入れ（Ａ）面の上部に蓋（Ｅ）を被せて合成樹脂のフック付きゴムバンド（２）で蓋を固定し，チエーン（１）で更に外側から固定して犬・猫・カラスに食い散らかすことの出来ない構造にした一般個人宅や町内のゴミ収集所に設置する突起型折り畳みゴミネット。
【請求項２】
Ａ・Ｂ・Ｃ・Ｄの裏面を合成樹脂で補強することにより強度を高めた請求項１記載の突起型折り畳みゴミネット。
【考案の詳細な説明】
【技術分野】
【０００１】
自分の住まいする町内では，ゴミの分別をしてゴミ収集所にストックするときに，犬・猫・カラスがゴミの袋を破り食い散らすことは昔から困って頭を悩ます問題であった。犬・猫・カラスの食い散らしを防止するゴミネットに関する。
【背景技術】
【０００２】
ゴミ回収車が来る前に，ゴミを収集所に積み上げるが，犬・猫・カラスが食い散らし特にカラスには大きな被害をうけてきたが，しかし決定的効果のある方法はなくカラスと人間の知恵比べとなっている。
また，カラスの被害を防ぐため他にも提案されたものもある。
【先行技術文献】
【特許文献】
【０００３】
【特許文献１】特開２０１９−１５９１６３広報ＤＢ
【考案の概要】
【考案が解決しようとする課題】
【０００４】
ゴミ回収日に指定されたゴミを収集所にゴミを積み上げてもカラスは「待っていました」とばかりにゴミ袋を切り裂き周囲一体に食い散らし，特に風の強い日には，環境上も衛生上も極めて問題のあるところであり，誰しも同じ考えであると思うが，打つ手がないのが実情である。
街の真ん中で散弾銃を使うことも法で許されず，人間がそばについて追い払うしか方法はないが，これも極めて難しくゴミに覆いを被せ，その覆いをカラスに食い散らかすことのないように，工夫するのが精一杯の対策である。
【課題を解決するための手段】
【０００５】
課題を解決するために本考案は以下の構成とした。
図２の中に各家庭のゴミを入れ，蓋（Ｅ）を閉めて合成樹脂のフック付きゴムバンド（２）を取り付け図１のようにする。ゴミネット各面Ａ・Ｂ・Ｃ・Ｄ・Ｅに使用している素材は合成樹脂であり，構造はドゲ状の図４に示した通りである。
ドゲを長くしてあるために，犬・猫などはトゲが痛くて噛むことは出来ないし，カラスの場合は，ハシブトガラスは，口ばしが太いのでネットの穴にクチバシが入らないし，ハシボソガラスでも同様でありまた，万一クチバシを入れる事が出来たとしてもトゲが目に刺さるので食い散らすことが出来ない構造とした。
【考案の効果】
【０００６】
本考案は，以下の効果を有する。
（１）犬・猫・カラスが生ゴミに寄ってきて袋に入った生ゴミを食い散らかすことが出来ないので周囲の汚れが無く環境が良くなる。
（２）衛生的である。
（３）ゴミの対策として費用が極めて少なくてすむ。
【図面の簡単な説明】
【０００７】
【図１】突起型折り畳みゴミネットの使用中斜視図
【図２】突起型折り畳みゴミネットの蓋を外した図
【図３】ゴミネットの平面構造説明図
【図４】ゴミネットの拡大側面構造説明図
【図５】結束バンド説明図
【図６】合成樹脂のフック付きゴムバンド説明図
【考案を実施するための形態】
【０００８】
以下本考案の実施形態について説明する。
突起型折り畳みゴミネットの各面Ａ・Ｂ・Ｃ・Ｄ・Ｅは，トゲ状のネットを凹部（３）と凸部（４）で連結して必要な大きさにして，（Ｆ）Ａ面とＢ面連結，（Ｇ）Ｂ面とＤ面連結，（Ｈ）Ｄ面とＣ面連結，（Ｉ）Ｄ面と蓋Ｅの連結，（Ｊ）Ｃ面とＡ面連結はそれぞれ結束バンド（５）で固定し，外観周囲を崩れ防止としてチエーン（１）で押さえる構造とした。尚トゲを長くしたため犬・猫を寄せ付けないため糞公害から救う事が出来ることと又，カラスにも対応できる構造とした。
各面Ａ・Ｂ・Ｃ・Ｄ・Ｅの構造は，図４に示した通り，トゲ状のネットのため犬・猫・カラスを寄せ付けない構造であり， そのため糞公害から守り且つ一番の大敵カラス対策でハシボソ烏，ハシブト烏がクチバシを差し込んだらトゲ状のネットのため目にトゲが入るので，烏が嫌がって食い散らかすことが出来ない。
またＡ・Ｂ・Ｃ・Ｄの裏面を合成樹脂で補強することにより、強度を高める。
烏に悩んできた個人宅で安心して使用し，町内会でも，安心してゴミ収集所にゴミを持ち込む事ができる。
【符号の説明】
【０００９】
（Ａ）正面
（Ｂ）左側面
（Ｃ）右側面
（Ｄ）背面
（Ｅ）蓋
（Ｆ）Ａ面とＢ面連結部
（Ｇ）Ｂ面とＤ面連結部
（Ｈ）Ｄ面とＣ面連結部
（Ｉ）Ｄ面と蓋Ｅの連結部
（Ｊ）Ｃ面とＡ面連結部
（１）チエーン              
（２）合成樹脂フック付きゴムバンド      
（３）連結用凹部
（４）連結用凸部        
（５）結束バンド
（６）合成樹脂のフック
（７）ゴムバンド
【図１】
0003180236.tif 000003
【図２】
0003180236.tif 000004
【図３】
0003180236.tif 000005
【図４】
0003180236.tif 000006
【図５】
0003180236.tif 000007
【図６】
0003180236.tif 000008
【手続補正書】
【提出日】平成24年7月27日(2012.7.27)
【手続補正１】
【補正対象書類名】実用新案登録請求の範囲
【補正対象項目名】全文
【補正方法】変更
【補正の内容】
【実用新案登録請求の範囲】
【請求項１】
合成樹脂で加工したトゲ状の素材で，正面（Ａ），左側面（Ｂ），右側面（Ｃ），背面（Ｄ），
上部に蓋（Ｅ）を被せた底面の無い長方形のゴミネットであり，更に固定用合成樹脂の
フック付きゴムバンド（２），チエーン（１）を設けた構造の突起型折り畳みゴミネット。
【請求項２】
正面（Ａ），左側面（Ｂ），右側面（Ｃ），背面（Ｄ）の各裏面を合成樹脂の板で補強
した請求項１記載の突起型折り畳みゴミネット。
【手続補正書】
【提出日】平成24年9月27日(2012.9.27)
【手続補正１】
【補正対象書類名】実用新案登録請求の範囲
【補正対象項目名】全文
【補正方法】変更
【補正の内容】
【実用新案登録請求の範囲】
【請求項１】
直方体の底面の無い構造にしたゴミネットであり，合成樹脂で加工したトゲ状の素材で，正面（Ａ），左側面（Ｂ），右側面（Ｃ），背面（Ｄ），上部に蓋（Ｅ）を設け，正面（Ａ）と左側面（Ｂ），正面（Ａ）と右側面（Ｃ），右側面（Ｃ）と背面（Ｄ），左側面（Ｂ）と背面（Ｄ），背面（Ｄ）と蓋（Ｅ）の各面と面の合わせ目は，結束バンド（５）で各箇所数本で固定し，更にロープ状のゴムバンドの両端に，合成樹脂製のフックを固定させ，合成樹脂フック付きゴムバンド（２）の一方のフックを，背面（Ｄ）の穴状の箇所に引っ掛けて，他方のフックで蓋（Ｅ）を押さえて正面（Ａ）の穴状箇所に引っ掛けて，同じ要領で数本使用し，ゴミネットの下方に金属製チエーン（１）を，横に一周させ，チエーンの一端と他端の連結は南京錠で行う構造の突起型折り畳みゴミネット。
【手続補正２】
【補正対象書類名】明細書
【補正対象項目名】全文
【補正方法】変更
【補正の内容】
【考案の詳細な説明】
【技術分野】
【０００１】
自分の住まいする町内では，ゴミの分別をしてゴミ収集所にストックするときに，犬・猫・カラスがゴミの袋を破り食い散らすことは昔から困って頭を悩ます問題であった。犬・猫・カラスの食い散らしを防止するゴミネットに関する。
【背景技術】
【０００２】
ゴミ回収車が来る前に，ゴミを収集所に積み上げるが，犬・猫・カラスが食い散らし
特にカラスには大きな被害をうけてきたが，しかし決定的効果のある方法はなく
カラスと人間の知恵比べとなっている。
また，カラスの被害を防ぐため他にも提案されたものもある。［特許文献１参照］
【先行技術文献】
【特許文献】
【０００３】
【特許文献１】特開２０１９−１５９１６３公報
【考案の概要】
【考案が解決しようとする課題】
【０００４】
ゴミ回収日に指定されたゴミを収集所にゴミを積み上げてもカラスは「待っていました」とばかりにゴミ袋を切り裂き周囲一体に食い散らし，特に風の強い日には，環境上も衛生上も極めて問題のあるところであり，誰しも同じ考えであると思うが，打つ手がないのが実情である。
街の真ん中で散弾銃を使うことも法で許されず，人間がそばについて追い払うしか
方法はないが，これも極めて難しくゴミに覆いを被せ，その覆いをカラスに食い散らかすことのないように，工夫するのが精一杯の対策である。
【課題を解決するための手段】
【０００５】
課題を解決するために本考案は以下の構成とした。
図２の中に各家庭のゴミを入れ，蓋（Ｅ）を閉めて合成樹脂のフック付きゴムバンド（２）を取り付け図１のようにする。ゴミネット各面Ａ・Ｂ・Ｃ・Ｄ・Ｅに使用している素材は合成樹脂であり，構造はドゲ状の図４に示した通りである。
ドゲを長くしてあるために，犬・猫などはトゲが痛くて噛むことは出来ないし，カラスの場合は，ハシブトガラスは，口ばしが太いのでネットの穴にクチバシが入らないし，ハシボソガラスでも同様でありまた，万一クチバシを入れる事が出来たとしてもトゲが目に刺さるので食い散らすことが出来ない構造とした。又， 直方体の，底面の無い構造にしたゴミネットであり，合成樹脂で加工したトゲ状の素材で，正面（Ａ），左側面（Ｂ），右側面（Ｃ），背面（Ｄ），上部に蓋（Ｅ）を設け，正面（Ａ）と左側面（Ｂ），正面（Ａ）と右側面（Ｃ），右側面（Ｃ）と背面（Ｄ），左側面（Ｂ）と背面（Ｄ），背面（Ｄ）と蓋（Ｅ）の各面と面の合わせ目は，結束バンド（５）を各箇所数本で固定する。更にロープ状のゴムバンドの両端に，合成樹脂製のフックを設け，合成樹脂フック付きゴムバンド（２）の一方のフックを，背面（Ｄ）の穴状の箇所に引っ掛け，他方のフックで蓋（Ｅ）を押さえて正面（Ａ）の穴状箇所に引っ掛ける。同じ要領で数本使用して固定する。
ゴミネットの下方に金属製チエーン（１）を，横に一周させ，チエーンの一端と他端の連結は南京錠で行う構造の突起型折り畳みゴミネットとした。
【考案の効果】
【０００６】
本考案は，以下の効果を有する。
（１）犬・猫・カラスが生ゴミに寄ってきて袋に入った生ゴミを食い散らかすことが出来ないので周囲の汚れが無く環境が良くなる。
（２）衛生的である。
（３）ゴミの対策として費用が極めて少なくてすむ。
【図面の簡単な説明】
【０００７】
【図１】突起型折り畳みゴミネットの使用中斜視図
【図２】突起型折り畳みゴミネットの蓋を外した図
【図３】ゴミネットの平面構造説明図
【図４】ゴミネットの拡大側面構造説明図
【図５】結束バンド説明図
【図６】合成樹脂のフック付きゴムバンド説明図
【考案を実施するための形態】
【０００８】
以下本考案の実施形態について説明する。
突起型折り畳みゴミネットの各面Ａ・Ｂ・Ｃ・Ｄ・Ｅは，トゲ状のネットを凹部（３）と凸部（４）で連結して必要な大きさにして，Ａ面とＢ面連結（Ｆ），Ｂ面とＤ面連結（Ｇ），Ｄ面とＣ面連結（Ｈ），Ｄ面と蓋Ｅの連結（Ｉ），Ｃ面とＡ面連結（Ｊ）はそれぞれ結束バンド（５）で固定し，外観周囲を崩れ防止としてチエーン（１）で押さえる構造とした。尚トゲを長くしたため犬・猫を寄せ付けないため糞公害から救う事が来ることと又，カラスにも対応できる構造とした。
各面Ａ・Ｂ・Ｃ・Ｄ・Ｅの構造は，図４に示した通り，トゲ状のネットのため犬・猫
・カラスを寄せ付けない構造であり， そのため糞公害から守り且つ一番の大敵カラス対策でハシボソ烏，ハシブト烏がクチバシを差し込んだらトゲ状のネットのため目にトゲが入るので，烏が嫌がって食い散らかすことが出来ない。
また正面（Ａ）・左側面（Ｂ）・右側面（Ｃ）・背面（Ｄ）の裏面を合成樹脂で補強する
ことにより、強度を高める事が出来る。
烏に悩んできた個人宅で安心して使用し，町内会でも，安心してゴミ収集所にゴミを持ち込む事が出来て，尚且つカラスに食い散らすことが出来ない構造とした。又，直方体の底面の無い構造にしたゴミネットであり，合成樹脂で加工したトゲ状の素材で，ロープ状のゴムバンドの両端に，合成樹脂製のフックを設け，合成樹脂フック付きゴムバンド（２）の一方のフックを，背面（Ｄ）の穴状の箇所に引っ掛けて，他方のフックで蓋（Ｅ）を押さえて正面（Ａ）の穴状の箇所に引っ掛けて，同じ要領で数本使用し，ゴミネットの下方に金属製チエーン（１）を，下方に重量で外側に開かないように横に一周させ，チエーンの一端と他端の連結は南京錠で行う構造の突起型折り畳みゴミネット
とした。
【符号の説明】
【０００９】
（Ａ）正面
（Ｂ）左側面
（Ｃ）右側面
（Ｄ）背面
（Ｅ）蓋
（Ｆ）Ａ面とＢ面連結部
（Ｇ）Ｂ面とＤ面連結部
（Ｈ）Ｄ面とＣ面連結部
（Ｉ）Ｄ面と蓋Ｅの連結部
（Ｊ）Ｃ面とＡ面連結部
（１）チエーン              
（２）合成樹脂フック付きゴムバンド      
（３）連結用凹部
（４）連結用凸部        
（５）結束バンド
（６）合成樹脂のフック
（７）ゴムバンド
（８）南京錠
【手続補正３】
【補正対象書類名】図面
【補正対象項目名】図１
【補正方法】変更
【補正の内容】
【図１】
0003180236.tif 000009